(57)【要約】【課題】利用者および事業者にメリットのあるサービスを実現する。【解決手段】プリペイドカードシステムは、予め利用可能な課金額をメモリ２２にチャージしたＩＣプリペイドカードをカード処理装置１にかけて料金収受を行うものであり、ＩＣプリペイドカードのメモリ２２に課金額をチャージする場合、プレミア金額、割引率、事業者を、課金額に関連付けてメモリ２２に記憶するＣＰＵ２０を備えている。【選択図】　　　図２
2004102836.tif 000002
【特許請求の範囲】
【請求項１】
利用可能な課金額をメモリにチャージしたＩＣカードを用いて料金収受を行う料金収受システムにおいて、
前記ＩＣカードのメモリに課金額をチャージする場合、前記課金額に、プレミア金額、割引率、課金額をチャージした事業者のうち少なくとも一つの情報を関連付けて前記メモリに記憶する手段を具備したことを特徴とする料金収受システム。
【請求項２】
利用可能な課金額に、プレミア金額、割引率、課金額をチャージした事業者のうち少なくとも一つの情報を関連付けてメモリに記憶したＩＣカードから情報を読み出す読出手段と、
前記読出手段により読み出されたＩＣカードの情報の中の課金額と、利用により生じた引き去り額とを比較して前記課金額よりも引き去り額が多い場合、前記課金額より引き去り額を引き去った不足額を前記プレミア金額から引き去る引き去り手段と
を具備したことを特徴とする料金収受システム。
【請求項３】
利用可能な課金額に、プレミア金額、割引率、課金額をチャージした事業者のうち少なくとも一つの情報を関連付けてメモリに記憶したＩＣカードから情報を読み出す読出手段と、
前記読出手段により読み出されたＩＣカードの情報の中の課金額の残高と、払戻し額および払戻し手数料の合計額とを比較して前記課金額の残高よりも払戻し額および払戻し手数料の合計額が少ない場合、前記課金額の残高より払戻し額および払戻し手数料の合計額を引き去り、払戻し額に応じたプレミア金額を０クリアまたは減額し、課金額の残高が０以上の場合は、手数料請求先の事業者を決定し、事業者への手数料を設定する払戻し手段と
を具備したことを特徴とする料金収受システム。
【請求項４】
利用可能な課金額に、プレミア金額、割引率、課金額をチャージした事業者のうち少なくとも一つの情報を関連付けてメモリに記憶したＩＣカードから情報を読み出す読出手段と、
前記読出手段により読み出されたＩＣカードの情報を通信回線を通じて、複数の事業者の情報を管理する上位システムに送信する手段と
を具備したことを特徴とする料金収受システム。
【請求項５】
利用可能な課金額をメモリにチャージしたＩＣカードを用いて料金収受を行う料金収受方法において、
前記ＩＣカードのメモリに課金額をチャージする場合、課金額を支払うべき事業者の情報を前記メモリに記憶するステップと、
前記課金額の情報を前記メモリに記憶するステップと、
前記課金額に相当するプレミア金額の情報を前記メモリに記憶するステップと、
前記課金額に相当する割引率の情報を前記メモリに記憶するステップと
を有することを特徴とする料金収受方法。
【請求項６】
利用可能な課金額に、プレミア金額、割引率、課金額をチャージした事業者のうち少なくとも一つの情報を関連付けてメモリに記憶したＩＣカードから情報を読み出すステップと、
読み出したＩＣカードの情報の中の課金額と、利用により生じた引き去り額とを比較して前記課金額よりも引き去り額が多い場合、前記課金額より引き去り額を引き去るステップと、
前記課金額より引き去り額を引き去った不足額を前記プレミア金額から引き去るステップと
を有することを特徴とする料金収受方法。
【請求項７】
利用可能な課金額に、プレミア金額、割引率、課金額をチャージした事業者のうち少なくとも一つの情報を関連付けてメモリに記憶したＩＣカードから情報を読み出すステップと、
読み出したＩＣカードの情報の中の課金額の残高と、払戻し額および払戻し手数料の合計額とを比較するステップと、
前記課金額の残高よりも払戻し額および払戻し手数料の合計額が少ない場合、前記課金額の残高より払戻し額および払戻し手数料の合計額を引き去るステップと、
払戻し額に応じたプレミア金額を０クリアまたは減額するステップと、
前記課金額の残高が０以上の場合は、手数料請求先の事業者を決定し、事業者への手数料を設定するステップと
を有することを特徴とする料金収受方法。
【請求項８】
利用可能な課金額に、プレミア金額、割引率、課金額をチャージした事業者のうち少なくとも一つの情報を関連付けてメモリに記憶したＩＣカードから情報を読出手段が読み出すステップと、
前記読出手段が読み出したＩＣカードの情報を通信回線を通じて、複数の事業者の情報を管理する上位システムに送信するステップと
を有することを特徴とする料金収受方法。
【発明の詳細な説明】
【０００１】
【発明の属する技術分野】
本発明は、例えば有料道路などに導入される料金収受システム、料金収受方法に関する。
【０００２】
【従来の技術】
従来、有料道路に導入されている料金収受システムには、予め利用額が登録され、使用の都度減額される使い切りのプリペイドカードが利用されてきた。このプリペイドカードは、磁気記録媒体が使用されているため、カードの記録情報量に制限があった。
【０００３】
一方、有料道路では、Ｅｌｅｃｔｒｏｎｉｃ　Ｔｏｌｌ　Ｃｏｌｌｅｃｔｉｏｎ　Ｓｙｓｔｅｍ（ＥＴＣシステム）と呼ばれるＩＣカードを用いた料金収受システムが稼動を始めているが、利用者側として新規機器（車載器）の購入が必要なことと、クレジット方式のため事前にクレジット会社との契約およびカード発行が必要なことがあり、利用率向上に向けた施策が検討されている。
【０００４】
【発明が解決しようとする課題】
このように従来のプリペイドカードは、磁気記録媒体を使用しているためカードの記録情報量が少なく、複数の課金情報やプレミアム課金情報などを管理するためには、記憶容量が大きく、またセキュリティの高いＩＣカード化が必至である。
有料道路には、ＥＴＣシステムにおけるＩＣカードが既に利用されているが、車載器、クレジットカードの準備なども必要なため、簡便な利用には、不向きな点もあった。このため、有料道路内の料金所、売店、販売機などで購入可能なプリペイド方式のＩＣカードによる新たなサービスが望まれているが、新たなサービスを開始する上では、利用者にも有料道路を運営する事業者にもメリットがなければ、よいサービスを提供することにはならない。
なお、新たなサービスを開始する上では、有料道路を運営する複数の事業者間でサービス負担の割合などを管理する必要がある。
【０００５】
本発明はこのような課題を解決するためになされたもので、利用者および事業者にメリットのあるサービスを実現できる料金収受システム、料金収受方法を提供することを目的としている。
【０００６】
【課題を解決するための手段】
上記した課題を解決するために、請求項１記載の発明の料金収受システムは、利用可能な課金額をメモリにチャージしたＩＣカードを用いて料金収受を行う料金収受システムにおいて、前記ＩＣカードのメモリに課金額をチャージする場合、前記課金額に、プレミア金額、割引率、課金額をチャージした事業者のうち少なくとも一つの情報を関連付けて前記メモリに記憶する手段を具備したことを特徴としている。
【０００７】
請求項２記載の発明の料金収受システムは、利用可能な課金額に、プレミア金額、割引率、課金額をチャージした事業者のうち少なくとも一つの情報を関連付けてメモリに記憶したＩＣカードから情報を読み出す読出手段と、前記読出手段により読み出されたＩＣカードの情報の中の課金額と、利用により生じた引き去り額とを比較して前記課金額よりも引き去り額が多い場合、前記課金額より引き去り額を引き去った不足額を前記プレミア金額から引き去る引き去り手段とを具備したことを特徴としている。
【０００８】
請求項３記載の発明の料金収受システムは、利用可能な課金額に、プレミア金額、割引率、課金額をチャージした事業者のうち少なくとも一つの情報を関連付けてメモリに記憶したＩＣカードから情報を読み出す読出手段と、前記読出手段により読み出されたＩＣカードの情報の中の課金額の残高と、払戻し額および払戻し手数料の合計額とを比較して前記課金額の残高よりも払戻し額および払戻し手数料の合計額が少ない場合、前記課金額の残高より払戻し額および払戻し手数料の合計額を引き去り、払戻し額に応じたプレミア金額を０クリアまたは減額し、課金額の残高が０以上の場合は、手数料請求先の事業者を決定し、事業者への手数料を設定する払戻し手段とを具備したことを特徴としている。
【０００９】
請求項４記載の発明の料金収受システムは、利用可能な課金額に、プレミア金額、割引率、課金額をチャージした事業者のうち少なくとも一つの情報を関連付けてメモリに記憶したＩＣカードから情報を読み出す読出手段と、前記読出手段により読み出されたＩＣカードの情報を通信回線を通じて、複数の事業者の情報を管理する上位システムに送信する手段とを具備したことを特徴としている。
【００１０】
請求項５記載の発明の料金収受方法は、利用可能な課金額をメモリにチャージしたＩＣカードを用いて料金収受を行う料金収受方法において、前記ＩＣカードのメモリに課金額をチャージする場合、課金額を支払うべき事業者の情報を前記メモリに記憶するステップと、前記課金額の情報を前記メモリに記憶するステップと、前記課金額に相当するプレミア金額の情報を前記メモリに記憶するステップと、前記課金額に相当する割引率の情報を前記メモリに記憶するステップとを有することを特徴としている。
【００１１】
請求項６記載の発明の料金収受方法は、利用可能な課金額に、プレミア金額、割引率、課金額をチャージした事業者のうち少なくとも一つの情報を関連付けてメモリに記憶したＩＣカードから情報を読み出すステップと、読み出したＩＣカードの情報の中の課金額と利用により生じた引き去り額とを比較して前記課金額よりも引き去り額が多い場合、前記課金額より引き去り額を引き去るステップと、前記課金額より引き去り額を引き去った不足額を前記プレミア金額から引き去るステップとを有することを特徴としている。
【００１２】
請求項７記載の発明の料金収受方法は、利用可能な課金額に、プレミア金額、割引率、課金額をチャージした事業者のうち少なくとも一つの情報を関連付けてメモリに記憶したＩＣカードから情報を読み出すステップと、読み出したＩＣカードの情報の中の課金額の残高と、払戻し額および払戻し手数料の合計額とを比較するステップと、前記課金額の残高よりも払戻し額および払戻し手数料の合計額が少ない場合、前記課金額の残高より払戻し額および払戻し手数料の合計額を引き去るステップと、払戻し額に応じたプレミア金額を０クリアまたは減額するステップと、前記課金額の残高が０以上の場合は、手数料請求先の事業者を決定し、事業者への手数料を設定するステップとを有することを特徴としている。
【００１３】
請求項８記載の発明の料金収受方法は、利用可能な課金額に、プレミア金額、割引率、課金額をチャージした事業者のうち少なくとも一つの情報を関連付けてメモリに記憶したＩＣカードから情報を読出手段が読み出すステップと、前記読出手段が読み出したＩＣカードの情報を通信回線を通じて、複数の事業者の情報を管理する上位システムに送信するステップとを有することを特徴としている。
【００１４】
本発明では、ＩＣカードのメモリに課金額をチャージする場合、課金額を支払うべき事業者、課金額、課金額に相当するプレミア金額、課金額に相当する割引率のうち少なくとも一つの情報を、課金額に関連付けてメモリに記憶するので、課金額とプレミア金額、事業者、割引率を別個に管理でき、それぞれの金額、事業内容を生かしたサービスを提供できる。
例えば金額の引き去り処理や払戻し処理を行う場合に、課金額とプレミア金額のうちいずれか一方を選択し順序を変えて処理を行える。
例えば料金を引き去る場合、ＩＣカードから読み出した情報のうち、課金額と引き去り額とを比較して課金額よりも引き去り額が多い場合、課金額より引き去り額を引き去り、課金額より引き去り額を引き去った不足額をプレミア金額から引き去る、といった別個の引き去り処理が可能になる。
また、ＩＣカードにチャージされている課金額（金額）を払戻す場合、ＩＣカードから読み出した情報のうち、課金額の残高と払戻し額および払戻し手数料の合計額とを比較し、課金額の残高よりも払戻し額および払戻し手数料の合計額が少ない場合、課金額の残高より払戻し額および払戻し手数料の合計額を引き去り、払戻し額に応じたプレミア金額を０クリアまたは減額し、課金額の残高が０以上の場合は、手数料請求先の事業者を決定し、事業者への手数料を設定する、といった手数料請求先の指定や、プレミア金額からは払戻さないようにするなどの払戻し制限を加えることができるようになる。
さらに、本発明では、ＩＣカードから読み出した情報を通信回線を通じて複数の事業者の情報を管理する上位システムに送信することで、それぞれの事業者に対し、負担割合を変えた請求や事業対象道路毎の支払いなどを行うことができる。
この結果、利用者および事業者にメリットのあるサービスを実現できる。
【００１５】
【発明の実施の形態】
以下、本発明の実施の形態を図面を参照して詳細に説明する。
図１は本発明に係る料金収受システム、料金収受方法の一つの実施の形態のプリペイドカードシステムの構成を示すブロック図、図２は図１のプリペイドカードシステムに用いるＩＣプリペイドカードの内部構成を示すブロック図、図３はＩＣプリペイドカードのメモリに記憶（設定）されている課金管理テーブルを示す図である。
【００１６】
このプリペイドカードシステムは、図１に示すように、接触型ＩＣプリペイドカードＢあるいは非接触型ＩＣプリペイドカードＡなどのＩＣプリペイドカードと、これらＩＣプリペイドカードを処理するカード処理装置１と、このカード処理装置１と通信回線を通じて接続された当システムの上位装置である上位システム５とから構成されている。上位システム５には複数の事業者の情報が管理されている。
カード処理装置１は、例えば対距離制の料金体系の高速道路などの有料道路の入口料金所および出口料金所に設置されている。入口料金所に設置されるカード処理装置１は、入口ゲート番号、通過時刻などの入口情報をＩＣプリペイドカード書き込む。出口料金所に設置されるカード処理装置１は、ＩＣプリペイドカードから入口情報、カード残額（課金金額）を含む課金管理エリアの情報などを読み出して、自身に設定されている料金テーブルの情報を基に引き去り額（通行料金）を演算し、有料道路の利用により生じた引き去り額（通行料金）をカード残額から引き去った残額をＩＣプリペイドカードに書き込む。料金テーブルには、自料金所と他の料金所間の区間料金が設定されている。対距離制とは通行距離に応じて通行料金が変わる形態である。なお、入口あるいは出口で一定の料金を徴収する料金均一制の有料道路では、カード処理装置１は、入口側あるいは出口側のいずれか一方の料金所に設置される。ＥＴＣなどのシステムと一緒に導入される場合は、料金収受用の車線の路側部に設置される収受員ブースに配置される料金収受機の一つのカード処理機能として組み込まれる場合がある。
【００１７】
カード処理装置１は、演算装置１１、メモリ１２、操作手段としての操作卓１３、通信制御装置１４、電源ユニット１５、印字装置１６、読出手段としての接触型カードＲ／Ｗ１７、読出手段としての非接触型カードＲ／Ｗ１８、ディスプレイ１９などを備えている。
演算装置１１は、システム制御および各周辺機器を制御する制御手段として機能する。メモリ１２は、システムや各周辺機器を制御するためのプログラム（ソフトウェア）、料金テーブルなどが記憶しており、プログラムを動作させたり、演算結果を保持する際に必要となる記憶領域である。このメモリ１２のプログラムが演算装置１１に各種制御動作を実行させる。操作卓１３は、各種データ入力を行う操作手段であり、例えばＩＣプリペイドカードの課金金額を払戻す際に、払戻し額などが係員の操作により入力される。通信制御装置１４は、当システムの上位装置である上位システム５とのデータ、例えば処理結果データやＩＣプリペイドカードのネガティブデータなどの送受信を行う際に使用する。ネガティブデータとは、使用不可とされているＩＣプリペイドカードのカードＩＤなどである。カードＩＤとは個々のカードを識別するための固有識別情報である。電源ユニット１５は、当システムを作動させるために必要な電源供給をシステムに行うユニットである。印字装置１６は、利用明細などをレシートに印字して発行する印字装置である。接触型カードＲ／Ｗ１７は、接触型ＩＣプリペイドカードＢの電気接点との接触により接触型ＩＣプリペイドカードＢから情報を読み取りおよび書き込む。非接触型ＩＣプリペイドカードＲ／Ｗ１８は、非接触型ＩＣプリペイドカードＡとの微弱電波による無線通信により非接触型ＩＣプリペイドカードＡから情報を読み出しおよび書き込む。ディスプレイ１９は、当システムを操作する際の各種情報表示（操作卓１３からの入力内容表示、操作案内、異常表示、カード内容表示など）を行う表示装置である。
【００１８】
接触型ＩＣプリペイドカードＢあるいは非接触型ＩＣプリペイドカードＡなどのＩＣプリペイドカードは、図２に示すように、ＣＰＵ２０、通信制御部２１、メモリ２２、電源ユニット２３などを備えている。ＣＰＵ２０は、ＩＣプリペイドカードの内部に設けられた制御手段であり、メモリ２２に記憶されているプログラムを読み込んで各種制御処理を行う。通信制御部２１は、カードＲ／Ｗ１７，１８とのデータの授受を行う。メモリ２２は、プリペイドカード内部の記憶手段（記憶領域）であり、具体的には半導体メモリなどの不揮発性メモリである。このメモリ２２には、セキュリティを確保したデータの記憶および読み出しを行うためのプログラムが記憶されている。また、メモリ２２には、課金額、プレミア金額、割引率などの情報とその管理テーブル（課金管理テーブル）、さらに課金管理テーブルの情報を読み出しおよび書き込むプログラムが格納されている。電源ユニット２３は、ＩＣプリペイドカードを動作させる際に必要な電源をカードＲ／Ｗ１７，１８から受電する。
【００１９】
図３に示すように、課金管理テーブル３０には、１レコード毎に、課金処理を行った事業者、課金処理を行った日付、時間、課金金額、課金金額に対して付加されれるプレミア金額、課金金額に対し付加されるプレミア金額に相当する割引率などが対応付けて記憶および管理されている。
この課金管理テーブル３０は、少なくとも一つのレコード（課金管理エリア）を有しており、ＩＣプリペイドカードがカード処理装置１にかけられて利用される際に、対応するカードＲ／Ｗ１７，１８によりカード残額の読み出し、引き去り後のカード残額の書き込みが行われる。
高速道路などで利用可能なＩＣプリペイドカードは、カード内部に半導体メモリなどの不揮発性メモリ（メモリ２２）を備えており、このメモリ２２には、１件または複数件のレコード情報として、課金額とこの課金額に対するプレミア金額とが管理される。ＩＣプリペイドカードを利用するにあたっては、予め１回以上の課金を行うことで、メモリ２２に利用可能な課金額（カード残額）をチャージ（記憶）しておく必要がある。
【００２０】
課金額の情報は、カード処理装置１の操作卓１３から入力された値（課金額、事業者コード）がＣＰＵ１１から接触型カードＲ／Ｗ１７または非接触型カードＲ／Ｗ１８を経由してＩＣプリペイドカード内部のＣＰＵ２０に通知される。ＣＰＵ２０は、１回に通知された課金内容毎に、課金事業者、課金日付／時間、課金額、プレミア金額、割引率などを、図３の課金管理テーブル３０の１レコードに記憶する。つまり、メモリ２２のソフトウェアによる課金処理（図４参照）によって、メモリ２２内の空きレコードに課金内容が記録される。メモリ２２には複数回の記録が可能であるが、記録エリアが満杯のときは、空きレコード（１レコードの課金額、プレミア金額が両方とも「０」となった場合）が発生するまで次の課金は不可能となる。この場合、ＣＰＵ２０から、接触型カードＲ／Ｗ１７または非接触型カードＲ／Ｗ１８を通じてカード処理装置１のＣＰＵ１１にエラーが通知される。
課金額が課金（チャージ）されたＩＣプリペイドカードを利用した場合、ＣＰＵ１１から接触型カードＲ／Ｗ１７または非接触型カードＲ／Ｗ１８を経由して、ＣＰＵ２０に利用金額が通知され、ＩＣプリペイドカード内部（メモリ２２）のソフトウェア処理（図５または図６に示す処理手順）によって、課金額から優先して引き去り、課金額からの引き去りが不足した場合（残額が０円になった場合）、プレミア金額から引き去り額（不足額）を引き去る処理が行われる。これによりメモリ２２で課金額（実際にお金が支払われた）、プレミア額（一定額以上の課金に対するサービス）を明確に分けて管理することができる。
また、このように課金管理テーブル３０で情報を詳細に区分して管理することにより、メモリ２２から情報を読み出すことで正確な課金額（プレミア金額を含まない）を知ることができるので、例えばＩＣプリペイドカードが不要になったときの料金の払戻しなどのサービスを行うことができる。
【００２１】
ＩＣプリペイドカードにチャージされている金額の払戻しを行う場合、ＩＣプリペイドカードをカード処理装置１にかけ、操作卓１３からの払戻し額の入力操作を行うことで、払戻額情報がＣＰＵ１１から接触型カードＲ／Ｗ１７または非接触型カードＲ／Ｗ１８を経由してＣＰＵ２０に通知される。
この通知を受けると、ＩＣプリペイドカード内部（メモリ２２）のソフトウェアにより払戻し処理（図７または図８に示す処理手順）が行われる。なお、課金額を払戻した時点で、該当する課金額に対するプレミア額を、全て減額したり、一定の割合で減額する処理を行うことも上記ソフトウェアの定義により実現可能である。
さらに、プリペイドカード課金時の課金事業者、ＩＣプリペイドカードによって支払われた金額内訳（課金額からの支払額、プレミア金額からの支払額）情報をＣＰＵ２０がメモリ２２から読み出し、通信制御部２１を経由し、接触型カードＲ／Ｗ１７または非接触型カードＲ／Ｗ１８を通じて上位システム５に通知することにより、後方処理における複数事業者間の精算処理精度の向上を図るサービスを提供することが可能となる。
【００２２】
まず、図４のフローチャートを参照してこのプリペイドカードシステムにおける課金処理（課金額をチャージする）動作を説明する。
高速道路を利用する車両のドライバーが課金額をＩＣプリペイドカードにチャージする場合、入口料金所の収受員ブース、入口料金所の収受員ブースあるいは料金所内の事務所などに行き、ＩＣプリペイドカードを係員に手渡し、課金額分の料金を支払い、そこに設置されているカード処理装置１の操作卓１３から係員が課金の入力操作を行う。
ＩＣプリペイドカードが、例えば非接触型ＩＣプリペイドカードＡの場合、カード処理装置１では、非接触型カードＲ／Ｗ１８により非接触型ＩＣプリペイドカードＡの情報が読み出され、ＣＰＵ１１に渡される。
情報を受け取ったＣＰＵ１１は、受け取った情報の中の課金管理テーブル３０を参照して課金管理テーブル３０の記憶エリアに空きがあるかどうかを確認する（図４のＳ１０１）。
この確認結果、課金管理テーブル３０のエリアに空きがなければ（Ｓ１０１のＮｏ）、ＣＰＵ１１は、エラー処理を実行し（Ｓ１０２）、課金処理を終了する。
エラー処理では、ＣＰＵ１１から、非接触型カードＲ／Ｗ１８を通じてＣＰＵ２０にエラーが通知され、この通知によりＣＰＵ２０はディスプレイ１９に空きエリア無しの旨のエラー表示を行う。
【００２３】
一方、上記確認結果、課金管理テーブル３０の課金管理エリアに空きがあれば（Ｓ１０１のＹＥＳ）、ＣＰＵ１１は、空きエリアの中の課金管理エリアを選択し（Ｓ１０３）、非接触型カードＲ／Ｗ１８を通じてＣＰＵ２０に通知し、ＣＰＵ２０は、接触型ＩＣプリペイドカードＡのメモリ２２に課金事業者を記録する（Ｓ１０４）。なお、課金管理エリアとは課金管理テーブル３０の１レコードをいう。
続いて、ＣＰＵ２０は、課金日付／課金時間を記録する（Ｓ１０５）。そして、ＣＰＵ２０は、入力された課金額を記録する（Ｓ１０６）。また、ＣＰＵ２０は、課金額より算出したプレミア金額を記録する（Ｓ１０７）。さらに、ＣＰＵ２０は、課金額より算出した割引率を記録する（Ｓ１０８）。そして、ＣＰＵ２０は、最後に、課金記録処理を行う（Ｓ１０９）。これにより、ＩＣプリペイドカードのメモリ２２の１レコードに、事業者、課金日付、課金時間、課金金額、プレミア金額、割引率などが関連付けられて記憶される。
課金記録処理後、カード処理装置１より排出されたＩＣプリペイドカードは、車両のドライバーに返却される。
【００２４】
次に、図５のフローチャートを参照してこのプリペイドカードシステムにおいて、日付を基準にした課金額の引き去り処理動作を説明する。
高速道路を利用する車両が入口料金所から進入してカード処理装置１にてＩＣプリペイドカードに入口情報を記憶し、高速道路を通行後、所望の出口料金所から退出する場合、出口料金所に設けられた収受員ブースの位置に車両を停車させてＩＣプリペイドカードを収受員に手渡し、収受員がＩＣプリペイドカードをカード処理装置１にかける。
ＩＣプリペイドカードが、例えば非接触型ＩＣプリペイドカードＡの場合、カード処理装置１では、非接触型カードＲ／Ｗ１８を通じて非接触型ＩＣプリペイドカードＡのＣＰＵ２０に情報の読み出し指示が行われる。
この指示により、ＣＰＵ２０は、メモリ２２の課金管理テーブル３０を参照して、各レコードの日付、時間を基に最も古い課金管理エリアを指定する（Ｓ２０１）。
【００２５】
該当する課金管理エリアがなければ（Ｓ２０２の無し）、ＣＰＵ２０は、残高不足のエラー処理を行う（Ｓ２０３）。
該当する課金管理エリアがあれば（Ｓ２０２の有り）、ＣＰＵ２０は、課金管理エリアから課金額、プレミア金額を取得する（Ｓ２０４）。
そして、ＣＰＵ２０は、取得した課金額の残高と引き去り額とを比較し（Ｓ２０５）、取得した課金額の残高に対して引き去り額が少ない場合（課金額の残高≧引き去り額）（Ｓ２０５のＹｅｓ）、課金額からの引き去り処理を行い（Ｓ２０６）、課金事業者を決定して（Ｓ２０７）、処理を終了する。
【００２６】
一方、上記比較結果、課金額の残高に対して引き去り額が多い場合（課金額の残高＜引き去り額）（Ｓ２０５のＮｏ）、ＣＰＵ２０は、課金額から引き去り可能な額について引き去り処理し、不足分（不足額）Ｐを算出する（Ｓ２０８）。そして、ＣＰＵ２０は、算出した不足分（不足額）Ｐとプレミアム残高とを比較し（Ｓ２０９）、プレミアム残高に対して不足分（不足額）Ｐが少ない場合（プレミアム残高≧不足額）（Ｓ２０９のＹｅｓ）、プレミアム残高からの不足額Ｐを引き去り処理した後（Ｓ２１０）、上記同様に課金事業者を決定して（Ｓ２０７）、処理を終了する。
【００２７】
また、不足分（不足額）Ｐとプレミアム残高とを比較した結果、プレミアム残高に対して不足分（不足額）Ｐが多い場合（プレミアム残高＜不足額）（Ｓ２０９のＮｏ）、ＣＰＵ２０は、プレミアム残高から引き去り可能な不足額Ｐを引き去り、残りの不足分（不足額）Ｑを算出する（Ｓ２１１）。
【００２８】
そして、ＣＰＵ２０は、引き去り額に不足分（不足額）Ｑをセットし（Ｓ２１２）、各レコードの日付、時間を基に次に古い課金管理エリアを指定し（Ｓ２１３）、ステップＳ２０２の処理に戻り、更なる引き去り処理を行う。
【００２９】
次に、図６のフローチャートを参照してこのプリペイドカードシステムにおいて、割引率を基準にした課金額の引き去り処理動作を説明する。
【００３０】
ＣＰＵ２０は、課金管理テーブル３０を参照して、最も割引率の高い課金管理エリアを指定する（Ｓ３０１）。なお、同一割引率で複数の課金管理エリアが該当した場合は、日付が古いデータ、または残高が多いデータなどといった条件を組み合わせて処理を行う。
【００３１】
該当する課金管理エリアがなければ（Ｓ３０２の無し）、ＣＰＵ２０は、残高不足のエラー処理を行う（Ｓ３０３）。
また、該当する課金管理エリアがあれば（Ｓ３０２の有り）、ＣＰＵ２０は、課金管理エリアから課金額、プレミア金額を取得する（Ｓ３０４）。
そして、ＣＰＵ２０は、取得した課金額の残高と引き去り額とを比較し（Ｓ３０５）、取得した課金額の残高に対して引き去り額が少ない場合（課金額の残高≧引き去り額）（Ｓ３０５のＹｅｓ）、課金額からの引き去り処理を行い（Ｓ３０６）、課金事業者を決定して（Ｓ３０７）、処理を終了する。
【００３２】
一方、上記比較結果、課金額の残高に対して引き去り額が多い場合（課金額の残高＜引き去り額）（Ｓ３０５のＮｏ）、ＣＰＵ２０は、課金額から引き去り可能な額について引き去り処理し、不足分（不足額）Ｐを算出する（Ｓ３０８）。そして、ＣＰＵ２０は、算出した不足分（不足額）Ｐとプレミアム残高とを比較し（Ｓ３０９）、プレミアム残高に対して不足分（不足額）Ｐが少ない場合（プレミアム残高≧不足額）（Ｓ３０９のＹｅｓ）、プレミアム残高からの不足額Ｐを引き去り処理した後（Ｓ３１０）、上記同様に課金事業者を決定して（Ｓ３０７）、処理を終了する。
【００３３】
また、不足分（不足額）Ｐとプレミアム残高とを比較した結果、プレミアム残高に対して不足分（不足額）Ｐが多い場合（プレミアム残高＜不足額）（Ｓ３０９のＮｏ）、ＣＰＵ２０は、プレミアム残高から引き去り可能な不足額Ｐを引き去り、残りの不足分（不足額）Ｑを算出する（Ｓ３１１）。
【００３４】
そして、ＣＰＵ２０は、引き去り額に不足分（不足額）Ｑをセットし（Ｓ３１２）、次に割引率の高い課金管理エリアを指定し（Ｓ３１３）、ステップＳ３０２の処理に戻り、更なる引き去り処理を行う。なお、ステップＳ３１３の処理においても、同一割引率で複数の課金管理エリアが該当した場合は、日付が古いデータ、または残高が多いデータなどといった条件を組み合わせて処理を行う。
【００３５】
次に、図７のフローチャートを参照してこのプリペイドカードシステムにおいて、第１払い戻し処理（プレミア全減額方式、古い日付優先）の例を説明する。この場合、ＣＰＵ２０は、まず、課金管理テーブル３０の全ての課金管理エリアから課金額残高を取得し、（Ｓ４０１）、払戻し可能な金額を非接触型カードＲ／Ｗ１８を通じてＣＰＵ１１に通知する。課金額残高を取得する上で、ＣＰＵ２０は、全ての課金管理エリアの課金額の合計を算出する。また、全課金額残高にはプレミア金額を含めない。ＣＰＵ１１は、通知された払戻し可能な金額をディスプレイ１９に表示する（Ｓ４０２）。
【００３６】
この表示が係員に確認されて、操作卓１３から払戻金額が入力されると、それが非接触型カードＲ／Ｗ１８を通じてＣＰＵ２０に通知され、メモリ２２に設定される（Ｓ４０３）。すると、ＣＰＵ２０は、課金額残高と払戻金額＋払戻手数料とを比較して（Ｓ４０４）、課金額残高が少ない場合（Ｓ４０４のＮｏ）、払戻金額不足のエラー処理を行う（Ｓ４０５）。
【００３７】
一方、上記比較結果、課金額残高が多い場合（課金額残高＜払戻金額＋払戻手数料）（Ｓ４０４Ｙｅｓ）、ＣＰＵ２０は、課金額残高がある最も古い課金管理エリアを指定し（Ｓ４０６）、課金額から払戻額を差し引いた額を課金額とする（Ｓ４０７）。または課金額から不足分払戻額を差し引いた額を課金額とする。
つまり、課金額＝課金額−払戻額または課金額−不足分払戻額となる。
【００３８】
そして、ＣＰＵ２０は、課金管理エリアのプレミア金額を０クリアする（Ｓ４０８）。なお、この例では、プレミア金額を０クリアとしたが、払戻し額に応じた額を減額してもよい。
その後、ＣＰＵ２０は、課金額が「０」以上か否かを判定し（Ｓ４０９）、課金額が０以上の場合（Ｓ４０９のＹｅｓ）、手数料を請求すべき課金事業者を決定して（Ｓ４１０）、その課金事業者への手数料請求を設定する払戻手数料処理を行った後（Ｓ４１１）、処理を終了する。
また、課金額判定の結果、課金額が０以上ではない場合（Ｓ４０９のＮｏ）、ＣＰＵ２０は、不足分払戻額を算出した後、課金額残高を０にセットし（Ｓ４１２）、課金残高があり、かつ次に古い課金管理エリアを指定し（Ｓ４１３）、ステップＳ４０７の処理に戻り、課金額を再設定して払戻処理を行う。
【００３９】
次に、図８のフローチャートを参照してこのプリペイドカードシステムにおいて、第２払い戻し処理（プレミア全減額方式、低割引率優先）の例を説明する。この場合、ＣＰＵ２０は、まず、課金管理テーブル３０の全ての課金管理エリアから課金額残高を取得し、（Ｓ５０１）、払戻し可能な金額を非接触型カードＲ／Ｗ１８を通じてＣＰＵ１１に通知する。課金額残高を取得する上で、ＣＰＵ２０は、全ての課金管理エリアの課金額の合計を算出する。また、全課金額残高にはプレミア金額を含めない。ＣＰＵ１１は、通知された払戻し可能な金額をディスプレイ１９に表示する（Ｓ５０２）。
【００４０】
この表示が係員に確認されて、操作卓１３から払戻金額が入力されると、それが非接触型カードＲ／Ｗ１８を通じてＣＰＵ２０に通知され、メモリ２２に設定される（Ｓ５０３）。すると、ＣＰＵ２０は、課金額残高と払戻金額＋払戻手数料とを比較して（Ｓ５０４）、課金額残高が少ない場合（Ｓ５０４のＮｏ）、払戻金額不足のエラー処理を行う（Ｓ５０５）。
【００４１】
一方、上記比較結果、課金額残高が多い場合（課金額残高＜払戻金額＋払戻手数料）（Ｓ５０４Ｙｅｓ）、ＣＰＵ２０は、課金額残高があり、かつ最も割引率が低い課金管理エリアを指定し（Ｓ５０６）、課金額から払戻額を差し引いた額を課金額とする（Ｓ５０７）。または課金額から不足分払戻額を差し引いた額を課金額とする。
つまり、課金額＝課金額−払戻額または課金額−不足分払戻額となる。
【００４２】
そして、ＣＰＵ２０は、課金管理エリアのプレミア金額を０クリアする（Ｓ５０８）。なお、この例では、プレミア金額を０クリアとしたが、払戻し額に応じた額を減額してもよい。
その後、ＣＰＵ２０は、課金額が０以上か否かを判定し（Ｓ５０９）、課金額が０以上の場合（Ｓ５０９のＹｅｓ）、手数料を請求すべき課金事業者を決定して（Ｓ５１０）、その課金事業者への手数料を設定する払戻手数料処理を行った後（Ｓ５１１）、処理を終了する。
また、課金額判定の結果、課金額が０以上ではない場合（Ｓ５０９のＮｏ）、ＣＰＵ２０は、不足分払戻額を算出した後、課金額残高を０にセットし（Ｓ５１２）、課金残高があり、かつ次に割引率が低い課金管理エリアを指定し（Ｓ５１３）、ステップＳ５０７の処理に戻り、課金額を再設定して払戻処理を行う。
【００４３】
ここで、図９〜図１４を参照してＩＣプリペイドカード内部の課金管理テーブル３０の記録内容が変化（更新）する様子を具体的に説明する。
【００４４】
図９に示すように、課金されていない状態（未チャージ）のＩＣプリペイドカードに対し、事業者Ａを通じて、２００１年１２月１０日０９時３０分に１００００円の課金が行われたものとする。このとき、事業者Ａ、課金日付、時間、課金金額、課金額に相当する予め定められたプレミア金額（例えば５００円など）、課金額に相当する割引率（例えば５％など）の情報が、課金管理テーブル３０の該当課金管理エリア（この場合、レコード１）に新規記憶（チャージ）される。なお、レコード単位の情報を課金管理エリアと呼ぶ。
【００４５】
図１０に示すように、上記１００００円を課金済みのＩＣプリペイドカードから５００円を利用する場合、ＩＣプリペイドカードのＣＰＵ２０は、最も古い課金日付の課金管理エリアで、かつ課金金額、プレミア金額のいずれかの残額がある課金管理エリアを検索する。この例の場合、レコード１が該当するので、レコード１の課金金額から５００円を減額する。なお、減額時はプレミア金額の引き去りよりも課金金額からの引き去りを優先する。この際、ＩＣプリペイドカードのＣＰＵ２０は、減額した内容を、接触型カードＲ／Ｗ１７あるいは非接触型カードＲ／Ｗ１８を通じてカード処理装置１のＣＰＵ１１に通知し、この通知を受けたＣＰＵ１１は、上位システム５に対して、課金金額からの引き去りで、かつ利用金額を納めた事業者が事業者Ａであることを明細データなどと併せて通知する。これにより、複数事業者間で精算処理を行う際、課金による支払いなのか、プレミア金額の支払いなのか、さらにはどの事業者から精算金を受領すればよいか、といったことが、正確に判断可能となる。
なお、利用金額が１レコード分の課金金額、プレミア金額だけでは足りない場合は、２番目に古い課金日付、３番目に古い課金日付・・・と複数レコードに渡って同じ処理を繰り返す。また、この例では、課金日付を基準に引き去りレコードを決定しているが、引き去りレコードの優先順位を割引率の高い順などに設定することも可能である。
【００４６】
図１１に示すように、上記により、９５００円の残高となった課金済みのＩＣプリペイドカードから、９７００円を利用する場合、ＣＰＵ２０は、最も古い課金日付の課金管理エリアで、かつ課金金額、プレミア金額のいずれかの残額がある課金管理エリアを検索する。この場合、レコード１が該当するので、ＣＰＵ２０は、レコード１の課金金額から９５００円を全て減額する。この例では、課金額が０円となり、さらに２００円の不足額が発生するので、ＣＰＵ２０は、さらにプレミア金額から不足分２００円を減額する。
この際、上記同様に、ＩＣプリペイドカードからカード処理装置１を介して上位システム５へ、課金金額、プレミア金額からの引き去りであり、かつ予め利用金額を納めた事業者が事業者Ａであることが、明細データなどと併せて通知される。
【００４７】
図１２に示すように、上記引き去り処理により、課金額が０となり、プレミア金額残高が３００円となった（課金金額の残高が有る場合も同様）ＩＣプリペイドカードに対し、今度は、事業者Ｂを通じて２００２年０１月０５日１３時０５分に３００００円の課金（チャージ）を行った場合、課金金額に相当するプレミア金額が例えば３０００円、割引率が例えば１０％であることも該当課金管理エリアに記憶（記録）される。
【００４８】
図１３に示すように、利用可能額が３３３００円の上記ＩＣプリペイドカードから、１５００円を利用する場合、ＣＰＵ２０は、最も古い課金日付の課金管理エリアで、かつ課金金額、プレミア金額のいずれかの残額がある課金管理エリアを検索する。この場合、１レコード目が該当するが、課金金額は既に０円のため、プレミア金額３００円を全て減額する。この時点では、支払金額が１２００円不足しているため、ＣＰＵ２０は、再度、次に古い課金日付の課金管理エリアをチェックする。この例では、２レコード目が該当し、課金残高３００００円から１２００円を減額する。この時点で２レコード目は、課金金額２８８００円となる。なおプレミア金額はそのままである（減額時は、プレミア金額からよりも課金金額からの引き去りを優先する）。この際、上記同様に、ＩＣプリペイドカードからカード処理装置１を介して上位システム５へ、引き去り額の内訳（プレミア金額引き去り分３００円は事業者Ａ、課金金額からの引き去り分であり、１３００円は事業者Ｂが利用金額を納めた事業者であること）を併せて通知する。
【００４９】
図１４に示すように、課金金額が２８８００円となったＩＣプリペイドカードから、例えば２００００円の払い戻しをする場合、ＣＰＵ２０は、最も古い課金日付の課金管理エリアで、かつ課金金額の残額がある課金管理エリアを検索する。この場合、２レコード目が該当するので、ＣＰＵ２０は、課金金額２８８００円から２００００円を払戻（減額）し、課金金額を８８００円として更新する。このとき、ＣＰＵ２０は、課金金額の更新に併せて、プレミア金額全額を減額する。払戻手数料の徴収については必要に応じて実施する。
なお、払戻金額が１レコード分の課金金額だけで足りない場合は、２番目に古い課金日付、３番目に古い課金日付・・・と複数レコードに渡って同じ処理を繰り返す。また、この例では、課金日付を基準に引き去りレコードを決定しているが、引き去りレコードの優先順位を割引率の高低などに設定することも可能である。なお、割引率が低い方を優先した方が利用客に有利であり、割引率が高い方を優先した場合、事業者が有利となる。
さらに、この例では、プレミア金額は全額を減額しているが、割引率に見合った減額などの処理も当然可能である。
【００５０】
このようにこの実施形態のプリペイドカードシステムによれば、高速道路などで利用可能なＩＣプリペイドカードとして接触型ＩＣプリペイドカードＡまたは非接触型ＩＣプリペイドカードＢを用い、内部のメモリ２２に、１レコード（課金管理エリア）毎に、課金額とその課金額に対するプレミア金額、割引率、事業者などを課金管理テーブル３０で別個に管理し、ＩＣプリペイドカードから引き去り処理を行う場合、課金額から優先して引き去り、課金額からの引き去りが不足した場合（０円になった場合）に、プレミア金額からの引き去ることで、メモリ２２で課金額（実際にお金が支払われた）、プレミア額（一定額以上の課金に対するサービス）を明確に分けて管理することができる。
また、ＩＣプリペイドカードにチャージされているカード残額の払戻しを行う場合、ＣＰＵ２０は、課金額残高がある最も古い課金管理エリア、あるいは課金額残高がある最も割引率の低い課金管理エリアから該当金額を払戻すので、効率的な払戻しを行うことができる。また、課金額とプレミア金額とを別個に管理しているので、プレミア金額だけを払戻してしまうような事態を回避できる。なお、課金額を払戻した時点で、該当する課金額に対するプレミア額を、全て減額（プレミア金額を０円にする）したり、一定の割合で減額するようにもできる。
さらに、ＩＣプリペイドカード課金時の課金事業者、ＩＣプリペイドカードによって支払われた金額内訳（課金額からの支払額、プレミア金額からの支払額）情報をＣＰＵ２０がメモリ２２から読み出し、カード処理装置１を通じて上位システム５に通知することにより、後方処理における複数事業者間の精算処理精度の向上を図ることができる。つまり、どの事業者がどの課金額、プレミア金額、割引についていくら請け負うなどといった、詳細な請負い区分を設けることができる。
この結果、利用者および事業者にメリットのあるサービスを実現できる。
【００５１】
【発明の効果】
以上説明したように本発明によれば、ＩＣカードのメモリに課金額をチャージする場合、課金額を支払うべき事業者、課金額、課金額に相当するプレミア金額、課金額に相当する割引率のうち少なくとも一つの情報を課金額に関連付けてメモリに記憶するので、課金額とプレミア金額とを別個に管理でき、それぞれの金額の単位でサービスを提供でき、利用者および事業者にメリットのあるサービスを実現できる。
【図面の簡単な説明】
【図１】本発明に係る一つの実施の形態のプリペイドカードシステムの構成を示す図。
【図２】図１のプリペイドカードシステムに用いるＩＣプリペイドカードの内部構成を示すブロック図。
【図３】ＩＣプリペイドカードのメモリに記憶されている課金管理テーブルを示す図。
【図４】このプリペイドカードシステムにおける課金処理（課金額をチャージする）動作を示すフローチャート。
【図５】このプリペイドカードシステムにおいて、日付を基準にした課金額の引き去り処理動作を示すフローチャート。
【図６】このプリペイドカードシステムにおいて、割引率を基準にした課金額の引き去り処理動作を示すフローチャート。
【図７】このプリペイドカードシステムにおいて、第１払い戻し処理（プレミア全減額方式、古い日付優先）を示すフローチャート。
【図８】このプリペイドカードシステムにおいて、第２払い戻し処理（プレミア全減額方式、低割引率優先）を示すフローチャート。
【図９】ＩＣプリペイドカードに事業者Ａで１００００円がチャージされ、プレミア金額５００円付加されたときの課金管理テーブルの記録内容を示す図。
【図１０】１００００円のＩＣプリペイドカードから５００円を引き去ったときの課金管理テーブルの記録内容を示す図。
【図１１】課金額９５００円、プレミア金額５００円のＩＣプリペイドカードから９７００円を引き去ったときの課金管理テーブルの記録内容を示す図。
【図１２】事業者Ｂで３００００円が追加チャージされ、プレミア金額３０００円が付加されたときの課金管理テーブルの記録内容を示す図。
【図１３】事業者Ｂで１５００円が利用されたときの課金管理テーブルの記録内容を示す図。
【図１４】２万円を払い戻したときの課金管理テーブルの記録内容を示す図。
【符号の説明】
５…上位システム、１１…ＣＰＵ、１２…メモリ、１３…操作卓、１４…通信制御装置、１５…電源ユニット、１６…印字装置、１７…接触型カードＲ／Ｗ、１８…非接触型カードＲ／Ｗ、１９…ディスプレイ、２０…ＣＰＵ、２１…通信制御部、２２…メモリ、２３…電源ユニット。
【図１】
2004102836.tif 000003
【図２】
2004102836.tif 000004
【図３】
2004102836.tif 000005
【図４】
2004102836.tif 000006
【図５】
2004102836.tif 000007
【図６】
2004102836.tif 000008
【図７】
2004102836.tif 000009
【図８】
2004102836.tif 000010
【図９】
2004102836.tif 000011
【図１０】
2004102836.tif 000012
【図１１】
2004102836.tif 000013
【図１２】
2004102836.tif 000014
【図１３】
2004102836.tif 000015
【図１４】
2004102836.tif 000016